(57)【要約】【課題】線状アンテナが、回路基板に半田により固定される前においても回路基板上に安定して自立することが可能な構造を実現し、アンテナ装置の組み立てを簡易化すること。【解決手段】アンテナ装置１０において、線状アンテナ１は、回路基板９上の空間において架設されたアンテナ本体部１１と、回路基板９上に起立してアンテナ本体部１１を支える２つの脚部とを備える。さらに、線状アンテナ１は、回路基板９のアンテナ実装孔９１を斜めに貫通した状態で回路基板９に半田により固定された２つの差し込み部１３を備えている。２つの差し込み部１３各々は、脚部１２におけるアンテナ実装孔９１の両側の縁部に接する部分の間の領域各々において相互に反対の方向Ｒ１，Ｒ２へ折り曲げられた２箇所の折り曲げ部１２１各々から回路基板９の厚み方向に対して斜め方向へ延びて形成されている。【選択図】図１
2014014030.tif 000002
【特許請求の範囲】
【請求項１】
折り曲げられた長尺な導体からなる線状アンテナと、
前記線状アンテナの一方の端部と電気的に接続された給電点を有する回路基板と、を備えるアンテナ装置であって、
前記回路基板には前記線状アンテナの実装用の２つの貫通孔が形成されており、
前記線状アンテナは、
当該線状アンテナにおける２箇所の第一の折り曲げ部の間の部分をなし、前記回路基板上の空間において架設されたアンテナ本体部と、
２箇所の前記第一の折り曲げ部各々から前記回路基板まで延びて形成され、先端が前記回路基板における前記貫通孔の両側の縁部に接し、前記回路基板上に起立して前記アンテナ本体部を支える２つの脚部と、
当該線状アンテナの両端部各々をなし、２つの前記脚部各々における前記貫通孔の両側の縁部に接する部分の間の領域各々において相互に反対の方向へ折り曲げられた２箇所の第二の折り曲げ部各々から前記回路基板の厚み方向に対して斜め方向へ延びて形成され、前記回路基板の前記貫通孔を斜めに貫通した状態で前記回路基板に半田により固定された２つの差し込み部と、を備え、
２つの前記差し込み部の一方が前記回路基板の前記給電点と電気的に接続されている、アンテナ装置。
【請求項２】
請求項１に記載のアンテナ装置であって、
前記線状アンテナの前記アンテナ本体部は、２箇所の前記第一の折り曲げ部の中心を結ぶ線分の中点を基準に点対称に形成されているとともに、前記回路基板に平行に架設されている、アンテナ装置。
【請求項３】
請求項１又は請求項２に記載のアンテナ装置であって、
前記線状アンテナにおける、２つの前記脚部各々における前記回路基板の前記貫通孔の両側の縁部に接する部分と２つの前記差し込み部各々との間の領域に欠け部が形成されており、
前記半田が、前記線状アンテナの前記差し込み部の先端から前記回路基板の前記貫通孔内を経て前記線状アンテナの前記欠け部までに亘って形成されている、アンテナ装置。
【発明の詳細な説明】
【技術分野】
【０００１】
本発明は、線状アンテナ及びその線状アンテナの一方の端部と電気的に接続された給電点を有する回路基板を備えるアンテナ装置に関する。
【背景技術】
【０００２】
特許文献１，２に示されるように、車両のアンテナ装置は、線状アンテナ及びその線状アンテナの一方の端部と電気的に接続された給電点を有する回路基板を備えている。そして、車両のアンテナ装置は、例えば、ワイヤレスキー又はスマートキーなどの携帯無線機からの無線信号を受信する。また、車両のアンテナ装置は、携帯無線機に対して無線信号を送信する場合もある。
【０００３】
また、特許文献１，２に示されるアンテナ装置において、線状アンテナは、回路基板上の空間において架設されたアンテナ本体部と、回路基板上に起立してアンテナ本体部を支える複数の脚部とを有している。そして、脚部の先端部各々は、回路基板の貫通孔に挿入された状態で、半田付けにより回路基板に固定される。即ち、脚部の先端部は、回路基板に対していわゆるスルーホール実装により固定される。
【０００４】
特許文献１，２に示されるアンテナ装置において、線状アンテナのアンテナ本体部と回路基板との間隔は、アンテナ利得に影響する。そのため、線状アンテナの脚部は、十分なアンテナ利得が得られるように、比較的長く形成されている。
【先行技術文献】
【特許文献】
【０００５】
【特許文献１】特開２００７−８１５２９号公報
【特許文献２】特開２０１０−１６１７２５号公報
【発明の概要】
【発明が解決しようとする課題】
【０００６】
ところで、特許文献１，２に示されるアンテナ装置は、半田付けされる前の線状アンテナが回路基板上に安定して自立可能な構造を備えていない。そのため、回路基板が、線状アンテナを回路基板上に置く工程の場所から半田付け工程の場所まで搬送される際に、線状アンテナの脚部が正しい位置及び姿勢で回路基板上に起立した状態を維持するための特別な作業又は治具が必要となる。
【０００７】
しかしながら、車両に搭載されるアンテナ装置は、より簡易に組み立て可能なことが要求されている。そのため、特別な作業及び治具を要することなく、半田付けされる前の線状アンテナが回路基板上に安定して自立可能とすることにより、アンテナ装置の組み立てをより簡易化することが望まれている。
【０００８】
本発明は、線状アンテナが、回路基板に半田により固定される前においても回路基板上に安定して自立することが可能な構造を実現し、アンテナ装置の組み立てを簡易化することを目的とする。
【課題を解決するための手段】
【０００９】
本発明の第１態様に係るアンテナ装置は、折り曲げられた長尺な導体からなる線状アンテナと、その線状アンテナの一方の端部と電気的に接続された給電点を有する回路基板と、を備える。さらに、上記回路基板には上記線状アンテナの実装用の２つの貫通孔が形成されている。さらに、上記線状アンテナは、以下に示される各構成要素を備えている。
（１）第１の構成要素は、当該線状アンテナにおける２箇所の第一の折り曲げ部の間の部分をなし、回路基板上の空間において架設されたアンテナ本体部である。
（２）第２の構成要素は、２箇所の上記第一の折り曲げ部各々から上記回路基板まで延びて形成され、先端が上記回路基板における上記貫通孔の両側の縁部に接し、上記回路基板上に起立して上記アンテナ本体部を支える２つの脚部である。
（３）第３の構成要素は、当該線状アンテナの両端部各々をなし、２つの上記脚部各々における上記貫通孔の両側の縁部に接する部分の間の領域各々において相互に反対の方向へ折り曲げられた２箇所の第二の折り曲げ部各々から上記回路基板の厚み方向に対して斜め方向へ延びて形成され、上記回路基板の上記貫通孔を斜めに貫通した状態で上記回路基板に半田により固定された２つの差し込み部である。これら２つの差し込み部の一方は上記回路基板の上記給電点と電気的に接続されている。
【００１０】
本発明の第２態様に係るアンテナ装置は、第１態様に係るアンテナ装置の一態様である。第２態様に係るアンテナ装置において、上記線状アンテナの上記アンテナ本体部は、２箇所の上記第一の折り曲げ部の中心を結ぶ線分の中点を基準に点対称に形成されているとともに、上記回路基板に平行に架設されている。
【００１１】
本発明の第３態様に係るアンテナ装置は、第１態様又は第２態様に係るアンテナ装置の一態様である。第３態様に係るアンテナ装置において、上記線状アンテナにおける、２つの上記脚部各々における上記回路基板の上記貫通孔の両側の縁部に接する部分と２つの上記差し込み部各々との間の領域に欠け部が形成されている。さらに、上記半田が、上記線状アンテナの上記差し込み部の先端から上記回路基板の上記貫通孔内を経て上記線状アンテナの上記欠け部までに亘って形成されている。
【発明の効果】
【００１２】
上記の各態様のいずれかに係るアンテナ装置において、線状アンテナの２つの脚部各々は、その先端が回路基板における貫通孔の両側の縁部に接し、回路基板上に起立してアンテナ本体部を支える。そのような線状アンテナは、２つの脚部の先端が回路基板の４点に接することによって自立する。なお、回路基板の４点とは、回路基板における一方の貫通孔の両側の縁部の２点、及び回路基板における他方の貫通孔の両側の縁部の２点を含む。
【００１３】
また、上記の各態様のいずれかに係るアンテナ装置において、線状アンテナの両端部各々をなす２つの差し込み部は、回路基板に半田によって固定されるリード端子として機能するとともに、半田で固定される前の当該差し込み部が回路基板の貫通孔から抜けることを防止する抜け止め機構としても機能する。
【００１４】
即ち、２つの差し込み部は、相互に反対の方向へ折り曲げられた２箇所の折り曲げ部（第二の折り曲げ部）各々から回路基板の厚み方向に対して斜め方向へ延びて形成され、回路基板の貫通孔を斜めに貫通している。そのため、２つの差し込み部が、回路基板における２つの貫通孔各々の縁部に引っ掛かり、これにより、半田で固定される前の当該２つの差し込み部が回路基板の貫通孔から抜けて線状アンテナが倒れることが防止される。
【００１５】
従って、上記の各態様のいずれかに係るアンテナ装置によれば、線状アンテナは、回路基板に半田により固定される前においても、回路基板上に安定して自立することが可能である。その結果、特別な作業及び治具を要することなく、回路基板の搬送中に回路基板上の線状アンテナが倒れることを防止することができ、アンテナ装置の組み立てを簡易化することができる。
【００１６】
また、上記第２態様に係るアンテナ装置においては、線状アンテナのアンテナ本体部が、２つの脚部によって支えられる２箇所の支点を結ぶ線分の中点を基準に点対称に形成されている。そのため、アンテナ本体部から２つの脚部へねじり荷重が作用することが回避され、線状アンテナは、２つの脚部によって回路基板上により安定的に自立する。その結果、回路基板の搬送中に回路基板上の線状アンテナが倒れることをより確実に防止することができる。
【００１７】
ところで、スルーホール実装において、半田が、回路基板における半田層に浸される側の面（うら面）から、回路基板の貫通孔内を経て、回路基板の実装面（おもて面）まで染み出したことをもって、正常な半田付けが行われたことを確認できる。
【００１８】
上記第３態様に係るアンテナ装置においては、線状アンテナにおける差し込み部と脚部の回路基板に接する部分との間の領域に欠け部が形成されている。そのため、半田が、回路基板のうら面側における差し込み部の先端から貫通孔内を経て回路基板のおもて面側まで染み出したことを、回路基板のおもて面側から容易に確認することができる。その結果、アンテナ装置の組み立て工程における、半田付けの状況を確認する工程を簡易化することができる。
【図面の簡単な説明】
【００１９】
【図１】本発明の実施形態に係るアンテナ装置１０の斜視図である。
【図２】アンテナ装置１０が備える線状アンテナ１の主要部の３面図である。
【図３】アンテナ装置１０における線状アンテナ１の固定部の正面図である。
【図４】アンテナ装置１０に適用可能な第１応用例に係る線状アンテナ１Ａの斜視図である。
【図５】アンテナ装置１０に適用可能な第２応用例に係る線状アンテナ１Ｂの斜視図である。
【発明を実施するための形態】
【００２０】
以下、添付の図面を参照しながら、本発明の実施形態について説明する。以下の実施形態は、本発明を具体化した一例であり、本発明の技術的範囲を限定する事例ではない。
【００２１】
＜アンテナ装置の概略構成＞
まず、図１，２を参照しつつ、本発明の実施形態に係るアンテナ装置１０の概略構成について説明する。アンテナ装置１０は、車両に搭載され、例えば、ワイヤレスキー又はスマートキーなどの携帯無線機からの無線信号を受信する装置である。また、アンテナ装置１０が、携帯無線機に対して無線信号を送信する機能を備える場合もある。
【００２２】
図１に示されるように、アンテナ装置１０は、線状アンテナ１と、その線状アンテナ１の一方の端部と電気的に接続された給電点を有する回路基板９とを備えている。
【００２３】
なお、図１において、回路基板９に実装される前の線状アンテナ１が仮想線（二点鎖線）により描かれている。また、図２（ａ）は線状アンテナ１の主要部の正面図であり、図２（ｂ）は線状アンテナ１の主要部の側面図であり、図２（ｃ）は線状アンテナ１の主要部の底面図である。図２において、回路基板９が仮想線により描かれている。
【００２４】
＜回路基板＞
回路基板９には、信号処理回路８及びワイヤハーネスが接続されるコネクタ７が実装されている。信号処理回路８は、線状アンテナ１を介して受信又は送信される信号を処理する回路であり、例えば、線状アンテナ１を介して受信した無線信号をマイクロプロセッサにより処理可能な有線信号へ変換する受信系信号変換回路などを含む。或いは、信号処理回路８が、マイクロプロセッサから出力された有線信号を無線信号へ変換する送信系信号変換回路を含む場合もある。
【００２５】
コネクタ７に接続されるワイヤハーネスは、信号処理回路８により処理された信号をアンテナ装置１０から他の装置へ伝送する、或いは信号処理回路８による処理の対象となる信号を他の装置からアンテナ装置１０へ伝送する。
【００２６】
また、回路基板９には、それぞれ線状アンテナ１の実装用の貫通孔である２つのアンテナ実装孔９１が形成されている。アンテナ実装孔９１は、そこに差し込まれる線状アンテナ１の端部に対して適当な遊びが形成される程度の大きさで形成されている。
【００２７】
回路基板９におけるアンテナ実装孔９１の内側面及び縁部の面には、半田が固着する金属箔からなるパターン導体９２が形成されている。以下の説明において、２つのアンテナ実装孔９１のパターン導体９２のうちの一方を第一アンテナパターン導体９２ａ、他方を第二アンテナパターン導体９２ｂと称する。
【００２８】
第一アンテナパターン導体９２ａは、線状アンテナ１の給電点であり、他の配線パターンを通じて信号処理回路８と電気的に接続されている。一方、第二アンテナパターン導体９２ｂは、信号処理回路８に対して電気的に絶縁されており、電気的に独立したパターン導体である。
【００２９】
以下の説明において、回路基板９における線状アンテナ１が配置される側の面のことを第一主面９０１と称し、その反対側の面のことを第二主面９０２と称する。
【００３０】
＜線状アンテナ＞
線状アンテナ１は、モノポールアンテナであり、折り曲げられた長尺な導体により構成されている。例えば、線状アンテナ１は、折り曲げられた長尺な金属の板材により構成されている。線状アンテナ１を構成する導体は、例えば、銅又は銅を主成分とする銅合金からなる板状の芯部材の表面に錫などの金属のメッキが施された部材である。
【００３１】
図１，２に示されるように、線状アンテナ１は、アンテナ本体部１１、２つの脚部１２及び２つの差し込み部１３を備えている。なお、図２に示される３面図には、主に線状アンテナ１の差し込み部１３及びその周辺部分が示されている。
【００３２】
アンテナ本体部１１は、線状アンテナ１における２箇所の第一の折り曲げ部１１１の間の部分をなし、回路基板９上の空間において架設された部分である。即ち、アンテナ本体部１１は、回路基板９の第一主面９０１に対して間隔を空けて対向した状態で配置されている。
【００３３】
一般に、アンテナ装置１０において線状アンテナ１の利得を高めるためには、アンテナ本体部１１は、回路基板９の第一主面９０１に対して十分に大きな間隔を隔てて配置される必要がある。
【００３４】
２つの脚部１２は、回路基板９上に起立してアンテナ本体部１１を支える部分である。図２に示されるように、２つの脚部１２は、２箇所の第一の折り曲げ部１１１各々から回路基板９の第一主面９０１まで延びて形成され、２つの脚部１２各々の先端は、回路基板９の第一主面９０１におけるアンテナ実装孔９１の両側の縁部に接している。
【００３５】
以下の説明において、２つの脚部１２各々における、アンテナ実装孔９１の両側の縁部に接する先端部分のことを一対の脚先部１２２と称する。従って、線状アンテナ１は、二対の脚先部１２２が回路基板９の４点に接することによって自立する。なお、回路基板９の４点とは、回路基板９における一方のアンテナ実装孔９１の両側の縁部の２点、及び回路基板９における他方のアンテナ実装孔９１の両側の縁部の２点を含む。
【００３６】
２つの差し込み部１３は、線状アンテナ１の両端部各々をなす部分である。２つの差し込み部１３は、２つの脚部１２各々における一対の脚先部１２２の間の領域各々において相互に反対の方向Ｒ１，Ｒ２へ折り曲げられた２箇所の第二の折り曲げ部１２１各々から回路基板９の厚み方向に対して斜め方向へ延びて形成されている。
【００３７】
また、２つの差し込み部１３各々は、２つの脚部１２各々の延長線に対して鋭角をなす方向へ延びて形成されている。
【００３８】
そして、２つの差し込み部１３各々は、回路基板９における２つのアンテナ実装孔９１各々を斜めに貫通した状態で、回路基板９に半田により固定されている。
【００３９】
より具体的には、２つの差し込み部１３の一方は、回路基板９における一方のアンテナ実装孔９１を斜めに貫通した状態で、回路基板９における第一アンテナパターン導体９２ａに対して半田付けされている。さらに、２つの差し込み部１３の他方は、回路基板９における他方のアンテナ実装孔９１を斜めに貫通した状態で、回路基板９における第二アンテナパターン導体９２ｂに対して半田付けされている。
【００４０】
前述したように、第一アンテナパターン導体９２ａは、線状アンテナ１の給電点であるため、２つの差し込み部１３の一方は、回路基板９の給電点（第一アンテナパターン導体９２ａ）に対して半田により電気的に接続される。
【００４１】
また、差し込み部１３の横断面形状は扁平であるため、アンテナ実装孔９１は、そこに差し込まれる差し込み部１３に対して適当な遊び（隙間）が形成されるように、扁平な形状で形成された長孔である。例えば、アンテナ実装孔９１の内側面と差し込み部１３との間の遊び（隙間）の寸法は１ミリメートル未満である。
【００４２】
図２（ｂ）に示されるように、２つの差し込み部１３は、回路基板９のアンテナ実装孔９１を斜めに貫通しているため、回路基板９における２つのアンテナ実装孔９１各々における第二主面９０２側の縁部９１１に引っ掛かる。そのため、半田で固定される前の２つの差し込み部１３がアンテナ実装孔９１から抜けることによる線状アンテナ１の転倒が防止される。
【００４３】
＜線状アンテナの詳細構造＞
以下、図１〜３を参照しつつ、アンテナ装置１０における線状アンテナ１のより詳細な構造について説明する。図３は、アンテナ装置１における線状アンテナ１の固定部の正面図である。
【００４４】
図１に示される例では、線状アンテナ１のアンテナ本体部１１は、２箇所の上記第一の折り曲げ部１１１の中心を結ぶ直線に沿って形成されている。従って、アンテナ本体部１１は、２箇所の第一の折り曲げ部１１１の中心を結ぶ線分の中点を基準に点対称に形成されている。
【００４５】
また、図１に示される例では、アンテナ本体部１１は、回路基板９に平行に架設されている。即ち、回路基板９の第一主面９０１に起立する２つの脚部１２の高さは等しい。さらに、図１に示される例では、２つの脚部１２は、回路基板９に対して垂直に起立している。即ち、線状アンテナ１における２箇所の第一の折り曲げ部１１１は、９０°の角度で折り曲げられた部分である。
【００４６】
また、図１，２に示される例では、２箇所の第二の折り曲げ部１２１のうちの一方の折り曲げ方向Ｒ１及び他方の折り曲げ方向Ｒ２は、それぞれ脚部１２からアンテナ本体部１１が位置する側（内側）に対して反対側（外側）へ向かう方向である。線状アンテナ１における２箇所の第二の折り曲げ部１２１は、例えば、１０°ないし２０°の角度で折り曲げられた部分である。
【００４７】
また、図２（ａ）に示される例では、線状アンテナ１における、２つの脚部１２各々における一対の脚先部１２２と２つの差し込み部１３各々との間の領域に、一対の欠け部１２３が形成されている。即ち、一対の欠け部１２３は、２つの脚部１２各々における差し込み部１３の両側の領域に形成されている。
【００４８】
さらに、図３に示されるように、アンテナ装置１０において、半田９３が、線状アンテナ１の差し込み部１３の先端から回路基板９のアンテナ実装孔９１内を経て線状アンテナ１の欠け部１２３までに亘って形成されている。図３において、符号９３ａは、半田９３における回路基板９のアンテナ実装孔９１内から第一主面９０１側へ染み出した部分を示している。
【００４９】
＜第１応用例に係る線状アンテナ＞
続いて、図４を参照しつつ、アンテナ装置１０に適用可能な第１応用例に係る線状アンテナ１Ａについて説明する。図４は、線状アンテナ１Ａの斜視図である。図４において、図１〜３に示される構成要素と同じ構成要素は、同じ参照符号が付されている。以下、線状アンテナ１Ａにおける線状アンテナ１と異なる点についてのみ説明する。
【００５０】
図４に示される線状アンテナ１Ａも、図１，２に示される線状アンテナ１と同様に、アンテナ本体部１１、２つの脚部１２及び２つの差し込み部１３を備えている。線状アンテナ１Ａの２つの差し込み部１３も、線状アンテナ１の両端部各々をなす部分である。
【００５１】
さらに、線状アンテナ１Ａの２つの差し込み部１３も、２つの脚部１２各々における一対の脚先部１２２の間の領域各々において相互に反対の方向Ｒ１，Ｒ２へ折り曲げられた２箇所の第二の折り曲げ部１２１Ａ各々から回路基板９の厚み方向に対して斜め方向へ延びて形成されている。
【００５２】
但し、図４に示される例では、２箇所の第二の折り曲げ部１２１Ａのうちの一方の折り曲げ方向Ｒ１及び他方の折り曲げ方向Ｒ２は、それぞれ脚部１２からアンテナ本体部１１が位置する側（内側）へ向かう方向である。このような線状アンテナ１Ａが、線状アンテナ１の代わりにアンテナ装置１０に適用されてもよい。
【００５３】
＜第２応用例に係る線状アンテナ＞
次に、図５を参照しつつ、アンテナ装置１０に適用可能な第２応用例に係る線状アンテナ１Ｂについて説明する。図５は、線状アンテナ１Ｂの斜視図である。図５において、図１〜３に示される構成要素と同じ構成要素は、同じ参照符号が付されている。以下、線状アンテナ１Ｂにおける線状アンテナ１と異なる点についてのみ説明する。
【００５４】
図Ｂに示される線状アンテナ１Ｂも、図１，２に示される線状アンテナ１と同様に、アンテナ本体部１１Ａ、２つの脚部１２及び２つの差し込み部１３を備えている。
【００５５】
しかしながら、線状アンテナ１Ｂのアンテナ本体部１１Ａは、線状アンテナ１のアンテナ本体部１１のように直線に沿って形成されておらず、曲がった経路に沿って形成されている。
【００５６】
但し、線状アンテナ１Ｂのアンテナ本体部１１Ａも、線状アンテナ１のアンテナ本体部１１と同様に、２箇所の第一の折り曲げ部１１１の中心を結ぶ線分の中点Ｐ０を基準に点対称に形成されている。このような線状アンテナ１Ｂが、線状アンテナ１の代わりにアンテナ装置１０に適用されてもよい。
【００５７】
＜効果＞
アンテナ装置１０において、線状アンテナ１，１Ａ，１Ｂの２つの脚部１２は、その先端をなす二対の脚先部１２２が回路基板９におけるアンテナ実装孔９１の両側の縁部に接し、回路基板９上に起立してアンテナ本体部１１，１１Ａを支える。そのような線状アンテナ１，１Ａ，１Ｂは、２つの脚部１２の二対の脚先部１２２が回路基板９の４点に接することによって自立する。
【００５８】
また、アンテナ装置１０において、線状アンテナ１，１Ａ，１Ｂの両端部各々をなす２つの差し込み部１３は、回路基板９に半田９３によって固定されるリード端子として機能するとともに、半田９３で固定される前の差し込み部１３が回路基板９のアンテナ実装孔９１から抜けることを防止する抜け止め機構としても機能する。
【００５９】
即ち、２つの差し込み部１３が、回路基板９における２つのアンテナ実装孔９１各々における第二主面９０２側の縁部９１１に引っ掛かり、これにより、半田９３で固定される前の２つの差し込み部１３が回路基板９のアンテナ実装孔９１から抜けて線状アンテナ１が倒れることが防止される。
【００６０】
従って、アンテナ装置１０が採用されれば、線状アンテナ１，１Ａ，１Ｂは、回路基板９に半田９３により固定される前においても、回路基板９上に安定して自立することが可能である。その結果、特別な作業及び治具を要することなく、回路基板９の搬送中に回路基板９上の線状アンテナ１，１Ａ，１Ｂが倒れることを防止することができ、アンテナ装置１０の組み立てを簡易化することができる。
【００６１】
また、線状アンテナ１，１Ａ，１Ｂが、回路基板９上に安定して自立しているため、アンテナ装置１０に作用する振動などに起因して線状アンテナ１，１Ａ，１Ｂを固定する半田９３の部分に加わる応力が軽減される。その結果、半田９３による線状アンテナ１，１Ａ，１Ｂの固定部の破損が生じにくくなるという効果も得られる。
【００６２】
また、線状アンテナ１，１Ａ，１Ｂのアンテナ本体部１１，１１Ａは、２つの脚部１２によって支えられる２箇所の支点を結ぶ線分の中点Ｐ０を基準に点対称に形成されている。そのため、アンテナ本体部１１，１１Ａから２つの脚部１２へねじり荷重が作用することが回避され、線状アンテナ１，１Ａ，１Ｂは、２つの脚部１２によって回路基板９上により安定的に自立する。その結果、回路基板９の搬送中に回路基板９上の線状アンテナ１，１Ａ，１Ｂが倒れることをより確実に防止することができる。
【００６３】
また、アンテナ装置１０において、線状アンテナ１，１Ａ，１Ｂにおける差し込み部１３と脚部１２における脚先部１２２との間の領域に欠け部１２３が形成されている。そのため、半田９３が、回路基板９の第二主面９０２側における差し込み部１３の先端からアンテナ実装孔９１内を経て回路基板９の第一主面９０１側まで染み出したことを、回路基板９の第一主面９０１側から容易に確認することができる。その結果、アンテナ装置１０の組み立て工程における、半田付けの状況を確認する工程を簡易化することができる。
【００６４】
ここで、アンテナ装置１０の比較例として、線状アンテナ１，１Ａ，１Ｂにおいて、２箇所の第二の折り曲げ部１２１が形成されておらず、回路基板９における２つのアンテナ実装孔９１が２つの差し込み部１３の間隔よりも狭い間隔で配置されている場合を考える。この比較例において、２つの差し込み部１３各々が回路基板９の２つのアンテナ実装孔９１各々に差し込まれると、アンテナ本体部１１が撓み、２つの差し込み部１３は、撓んだアンテナ本体部１１の弾性力によって２つのアンテナ実装孔９１の縁部に押し付けられる。そのため、線状アンテナが、回路基板９上に起立した状態から倒れにくくなる。
【００６５】
しかしながら、上記比較例においては、アンテナ本体部１１が湾曲するため、回路基板９上における線状アンテナの高さが高くなり、線状アンテナの配置に必要なスペースが増大してしまう。さらに、上記比較例における線状アンテナは、応力が加わった状態で保持されるため、線状アンテナの破損及び半田９３による固定部の破損が生じやすくなる。一方、アンテナ装置１０においては、上記比較例において生じ得る不都合は生じない。
【００６６】
なお、本発明に係るアンテナ装置は、各請求項に記載された発明の範囲において、以上に示された実施形態及び応用例を自由に組み合わせること、或いは実施形態及び応用例を適宜、変形又は省略することによって構成されることも可能である。
【符号の説明】
【００６７】
１，１Ａ，１Ｂ  線状アンテナ
７  コネクタ
８  信号処理回路
９  回路基板
１０  アンテナ装置
１１，１１Ａ  アンテナ本体部
１２  脚部
１３  差し込み部
９１  アンテナ実装孔（貫通孔）
９２  パターン導体
９３  半田
１１１  第一の折り曲げ部
１２１，１２１Ａ  第二の折り曲げ部
１２２  脚先部
１２３  欠け部
９０１  第一主面
９０２  第二主面
９１１  アンテナ実装孔の縁部
９２ａ  第一アンテナパターン導体（給電点）
９２ｂ  第二アンテナパターン導体
【図１】
2014014030.tif 000003
【図２】
2014014030.tif 000004
【図３】
2014014030.tif 000005
【図４】
2014014030.tif 000006
【図５】
2014014030.tif 000007